(57)【要約】【課題】理想的な持ち方を行うことができる箸を提供することを目的とする。【解決手段】使い代と持ち代、箸頭からなる箸本体２Ａと使い代と持ち代、箸頭からなる箸本体２Ｂの１対の箸１からなる箸であって、前記箸本体２Ａ及び箸本体２Ｂのうち、少なくとも一部の断面形状が三角形状に形成された前記持ち代を有しており、前記持ち代の断面の三角形状の１辺が他の２辺より長く、長い辺を縦にした時の頂点の角が６０度（誤差±５度）に形成されている。【選択図】図１
2020137983.tif 000002
【特許請求の範囲】
【請求項１】
使い代と持ち代、箸頭からなる箸本体１と使い代と持ち代、箸頭からなる箸本体２の１対の箸からなる箸であって、前記箸本体のうち、少なくとも一部の断面形状が三角形状に形成された前記持ち代を有している箸。
【請求項２】
前記持ち代の断面の三角形状の１辺が他の２辺より長く、長い辺を縦にした時の頂点の角が６０度（誤差±５度）に形成された請求項１の箸。
【請求項３】
前記箸本体１の前記持ち代おける断面形状の面に、親指、人差し指、中指、前記箸本体２の前記持ち代における断面形状の面に親指の付け根、薬指を当てる位置に印を有している請求項１又は請求項２に記載の箸。
【請求項４】
前記箸本体２の薬指が当たる部分に前記箸本体２の軸方向に、線状に凸しているすべり止めを有する請求項１から請求項３のいずれか１つに記載の箸。
【請求項５】
前記箸本体１および前記箸本体２の他方の端部に設けられ、断面形状が多角形状または円形状に形成された箸先部を有し、前記箸本体は、前記持ち代から前記箸先に向かって先細り状に形成されている請求項１から請求項４のいずれか１つに記載の箸。
【請求項６】
前記持ち代の前記印と同様の印のシールを指に貼ることにより、前記箸本体１および前記箸本体２の前記持ち代の前記印と指を合わせることができる請求項３から５のいずれか１つに記載の箸。
【発明の詳細な説明】
【技術分野】
【０００１】  本発明は、箸、及び、対応シールに関する。
【背景技術】
【０００２】  例えば、特許文献１には、木製又は竹製の棒状をした一対の箸本体の一方の箸本体の一端に、表裏面がほぼ平面状に形成された、ほぼ方形板状のヘラが突出形成され、前記一方の箸本体の他端と、前記一対の箸本体の他方の箸本体の両端とのそれぞれが、先細に形成され、かつ、前記一対の箸本体の棒状をした部分が、その各側面が内側に窪んだ三角柱状に形成されてなることを特徴とするヘラ付きの料理箸が開示されている。【０００３】  また、特許文献２には、箸の長さ方向で見た所要部分が物差し部とされ、該物差し部の側面に、箸の長さ方向に目盛りが付されていることを特徴とする物差し付き箸が開示されている。【０００４】  さらに、特許文献３には、少なくとも一部の断面形状が二等辺三角形状に形成された持ち代を有し、前記持ち代の断面形状は、等辺の長さより底辺の長さが長い形状に形成されている箸が開示されている。
【先行技術文献】
【特許文献】
【０００５】
【特許文献１】特開２００１−１９７９９３号公報
【特許文献２】実用新案登録第３０８７６２６号公報
【特許文献３】特開２０１７−１５３７３２号公報
【発明の概要】
【発明が解決しようとする課題】
【０００６】  本発明は、理想的な持ち方を行うことができる箸を提供することを目的とする。
【課題を解決するための手段】
【０００７】  使い代と持ち代、箸頭からなる箸本体１と箸本体２の１対の箸からなる箸。
前記箸本体のうち、少なくとも一部の断面形状が三角形状に形成された前記持ち代を有している箸。【０００８】  前記持ち代の断面の三角形状の１辺が他の２辺より長く、長い辺を縦にした時の頂点の角が６０度（誤差±５度）に形成された請求項１の箸。【０００９】  箸本体１の持ち代おける断面形状の面に、親指、人差し指、中指、箸本体２の持ち代における断面形状の面に親指の付け根、薬指を当てる印を有している請求項１又は請求項２に記載の箸。【００１０】  前記箸本体２の薬指が当たる部分に前記箸本体２の軸方向に、線状に凸しているすべり止めを有する請求項１から請求項３のいずれか１つに記載の箸。【００１１】  前記箸本体１および前記箸本体２の他方の端部に設けられ、断面形状が多角形状または円形状に形成された箸先部を有し、前記箸本体は、前記持ち代から前記箸先に向かって先細り状に形成されている請求項１から請求項４のいずれか１つに記載の箸。【００１２】  前記持ち代の前記印と同様の印のシールを指に貼ることにより、前記箸本体１および前記箸本体２の前記持ち代の前記印と指を合わせることができる請求項３から５のいずれか１つに記載の箸。
【発明の効果】
【００１３】  本発明によれば、理想的な持ち方を困難にする薬指からの滑りを軽減し、理想的な持ち方を行うことができる。
【図面の簡単な説明】
【００１４】
【図１】実施例１における箸１を例示する図である。
【図２】実施例１における箸本体２を例示する六面図及び断面図である。
【図３】図１に例示する箸１におけるＺ−Ｚ断面図である。
【図４】図１に例示する箸１におけるＹ矢視図である。
【発明を実施するための形態】
【００１５】  一般的な２本１組の箸の操作方法は、２本のうち、一方の箸を親指の付け根の人差指側の部分と人差し指の付け根の下の親指側部分、薬指の親指側の爪の付け根と指の境部分の３点で固定し、他方の箸を親指、人差し指、及び、中指の３点で挟持し可動させることによって操作する。使用者は、一方の箸を固定し、かつ、他方の箸を三指の３点で握ることにより理想的な持ち方で操作を行うことができる。３点支持は指の接地面が大きい程安定するため、持ち代部分の形状は三角形が安定する。
【００１６】  また、親指は、付け根で固定する箸を強く挟み固定し、先端部分の指の腹部分は可動する箸の動きを妨げにならないように、親指のＩＰ関節が曲がる程度の柔軟性を保って押さえる必要がある。親指の付け根および親指の先端部分腹側の接地面積が大きい程、扱いやすくなる。
【００１７】  よって、固定する箸、可動する箸の３点支と親指の使い方を安易にするため、箸に不慣れな使用者にとって、持ち代の形状は、一辺が他の辺よりも長い三角形状が最も安定した持ち方ができる形状である。
【００１８】  理想的な箸の持ち方を実現するためには、先ず、固定する箸の固定がしっかりとできることが重要である。なぜなら、固定する箸が固定されることにより、可動する箸の操作が安易になるからである。
【００１９】  しかし、箸に不慣れな使用者（未就学児童若しくは外国人、又は、手指の不自由な高齢者若しくは障害者）は、固定する箸の薬指に当たる面が薬指の付け根方向に滑ることにより、固定が困難な場合が多い。固定ができないため、中指で上から押さえ込むことも多く、可動する箸の３点支持が困難になる場合が多い。薬指の滑りを軽減するために、箸本体を凹ませる工夫を施した箸や、わっかなどで固定する工夫をした箸はあるが、その場合、無意識に形を整えるため、一般的な箸への移行が困難な場合が多い。
【００２０】  また、持ち代の形状が三角形状で、固定する箸を３点支持で固定する際、親指の付け根に当たる面と薬指に当たる面で挟まれた角度が小さければ、小さい程、薬指のＤＩＰ関節を曲げる角度が大きくなり、手のひら部分と並行に近づき、箸が薬指の付け根方向に滑りやすくなるため、既存商品の直角二等辺三角形の箸の４５度の角度よりも６０度が滑りにくい。
【００２１】  可動する箸は固定する箸の箸先と可動する箸の箸先を合わせるために、人差し指で押し下げた時に、箸先が、固定する箸の手前にずれないように、親指の先端部分の腹で押さえる必要があるが、既存商品の直角二等辺三角形の箸は、角度が付きすぎているため、固定する箸よりも、手前に押されてしまう。６０度に角度を上げることにより、固定する箸よりも手前に押されてしまうことを、低減させることができる。
【００２２】  そこで、実施例１における箸１では、持ち代部の断面形状を１辺が他の２辺より長く、長い辺を縦にした時の頂点の角が６０度（誤差±５度）に形成された三角形状に形成する。箸本体２Ａは親指、人差し指、中指で可動させ、頂点の６０度（誤差±５度）の角が親指と人差指が当たる方向に持つ。箸本体２Ｂは親指の付け根と薬指で固定させ、頂点の６０度（誤差±５度）の角が親指の付け根と薬指が当たる方向にもつ。また、箸本体２Ｂの薬指があたる部分に軽微な滑り止めを有している。
【００２３】  薬指に当たる面に挟まれた角に適度の角度（６０度±５度）をつけることと、前記滑り止めにより、固定を困難にしている薬指の滑りを抑えることで、固定化が容易になる。また、可動する箸の三指握りを困難にしていた、中指で固定する箸を押さえることを回避させ、また親指と人差し指が当たる面に挟まれた角に適度の角度（６０度±５度）をつけることで、人差し指の滑りを抑えることにより、使用者は、動的な三面把持を行うことができる。
【００２４】  また、実施例２における指に箸本体２Ａ及び箸本体２Ｂの印と同じ印をつけることにより、正しい位置を意識することができるうえ、ずれを認識することができる。
【００２５】  以下、本発明に係る実施形態の構成を、図面を参照して説明する。ただし、本発明の範囲は、図示例に限定されるものではない。
【実施例１】
【００２６】  まず、本実施例１における箸１の構成を説明する。
図１は、実施例１における箸１を例示する図である。
図２は、箸本体２を例示する六面図であり、図２（Ａ）は正面図であり、図２（Ｂ）は背面図であり、図２（Ｃ）は右側面図である。また、図２（Ｄ）は左側面図であり、図２（Ｅ）は平面図であり、図２（Ｅ）は底面図である。
図１及び図２に例示するように、箸１は、箸本体２Ａ及び箸本体２Ｂで構成された二本一対の棒である。
（箸１）
箸１は、略同じ形状である箸本体２Ａ、及び、箸本体２Ｂで構成されている。
本例での箸本体２Ａ及び箸本体２Ｂは、箸本体２Ａが可動箸であり、箸本体２Ｂが固定箸である。
箸本体２Ａ及び箸本体２Ｂは、例えば、木材、竹部材、合成樹脂材、又は、金属材料で構成されている。なお、生産性や操作性の観点から、箸本体２Ａ及び箸本体２Ｂは、木材、又は、合成樹脂材で構成することが望ましい。
また、箸本体２Ａ及び箸本体２Ｂは、全長が１４ｃｍ以上２６ｃｍ以下の長さに形成されており、実施例１での箸本体２の全長は、約２４ｃｍである。
また、箸本体２Ａ及び箸本体２Ｂは、持ち代、箸頭、使い代、箸先、及び、印を備えている。箸本体２Ａ及び箸本体２Ｂの外形形状は、持ち代から箸先にかけて、三角形状から多角形状または円形状に滑らかに形成されており、持ち代から箸先に向かって先細り状に形成されている。また、箸本体２Ａ及び箸本体２Ｂは、角部分を滑らかに面取り加工されているため、使用者は、箸１を長時間使用しても痛みが生じにくい。【００２７】  （持ち代）
図１及び図２に例示するように、持ち代は、箸本体２Ａ及び箸本体２Ｂを手で持つ部分である。持ち代の範囲は、概ね、箸本体２の中央部分から箸頭までの部分、言い換えると、箸本体２の約１／３の範囲である。
持ち代は、少なくとも一部の断面形状が１辺が他の２辺より長く、長い辺を縦にした時の頂点の角が６０度（誤差±５度）に形成された三角に形成されている。持ち代における少なくとも一部の部分とは、箸本体２Ａ及び箸本体２Ｂを手で持つ部分のうち、使用者の指（指先、指の側面）が当たる部分、及び、指と指との間に当たる部分を含
む部分である。
また、持ち代部分は、三角形状の外形において、角部分を面取り加工されている。【００２８】  （使い代）
図１及び図２に例示するように、使い代は、持ち代よりも箸先側である。使い代は、概ね、箸本体２Ａ及び箸本体２Ｂの中央部分から箸先までの部分、または、箸本体２Ａ及び箸本体２Ｂの約２／３の範囲である。使い代は、箸先を含んでいる。【００２９】  （箸先）
図１及び図２に例示するように、箸先は、食べ物等を挟む部分である。箸先は、箸本体２Ａ及び箸本体２Ｂの他方の端部、言い換えると、箸頭の設けられた位置とは反対側に設けられ、断面形状が多角形状または円形状に形成されている。箸先の太さは、持ち代の太さに比べて細く形成されており、細かなものを掴むことができる。【００３０】  （滑り止め）
図２に例示するように、滑り止めは箸２Ｂの薬指が当たる部分に貼られた箸の縦方向の凹凸の線上のシールを指す。このことにより、薬指には滑り止め３の線上の凹凸が薬指に対して直角方向に当たることになり、箸２Ｂが薬指の付け根方向に滑る事を軽減させる。【００３１】  （印）
図２に例示するように、印は、箸１を持つ使用者に対して、各指を配置する位置を示す印４である。
また、図３に例示する印５は、前記図２の印４に、箸が当たる手指を対応させたものである。このことにより、使用者は、より、箸に当たる手指の位置を意識することができる。【００３２】  図３は、図１に例示する箸１におけるＺ−Ｚ断面図である。
図３に例示するように、箸本体２Ａ及び箸本体２Ｂは、箸本体２Ａが可動箸であり、箸本体２Ｂが固定箸である。
箸２Ａは親指、人差し指、中指で可動させ、頂点の６０度（誤差±５度）の角が親指と人差指が当たる方向に持つ。箸本体２Ｂは親指の付け根と薬指で固定させ、頂点の６０度（誤差±５度）の角が親指の付け根と薬指が当たる方向に持つ。また、箸本体２Ｂの薬指があたる部分に軽微な滑り止め３を有している。薬指に当たる面に挟まれた角に適度の角度（６０度±５度）をつけることと、前記滑り止め３により、固定を困難にしている薬指の滑りを抑えることで、固定化が容易になる。また、可動する箸本体２Ａの三指握りを困難にしていた、中指で固定する箸本体２Ｂを押さえることを回避させ、また親指と人差し指が当たる面に挟まれた角に適度の角度（６０度±５度）をつけることで、人差し指の滑りを抑えることにより、使用者は、動的な三面把持を行うことができる。【００３３】  図４は、図１に例示する箸１におけるＹ矢視図である。
図４に例示するように、箸２Ａ，箸２Ｂとも三角形の一番長い辺が親指、および親指の付け根側に当たることにより、接触面が大きくなり、より安定して箸本体を保持することができる。【００３４】  以上説明したように、本実施例における箸１は、断面の三角形状の１辺が他の２辺より長く、長い辺を縦にした時の頂点の角が６０度（誤差±５度）に形成されている。箸本体２Ａは親指、人差し指、中指で可動させ、頂点の６０度（誤差±５度）の角が親指と人差指が当たる方向に持つ。箸本体２Ｂは親指の付け根と薬指で固定させ、頂点の６０度（誤差±５度）の角が親指の付け根と薬指が当たる方向に持つ。前記のとおり、箸本体２Ａ及び箸本体２Ｂは、可動箸である箸本体２Ａと固定箸である箸本体２Ｂを相対照に持つことにより、固定箸の安定と可動箸の三面把持をより容易にできる。
また、箸本体２Ｂの滑り止め３により、薬指の滑りを押さえることにより、固定箸の固定をより高めることができる。
固定箸である箸本体２Ｂの固定をより高めることで、可動箸である箸本体２Ａの可動性を高めることが、理想の箸の持ち方に有効に働く。
更に箸本体２Ａ及び箸本体２Ｂの印３と手指の印５を合わせることで、箸本体に当たる指の位置をより意識的にすることにより、理想の持ち方を意識的に継続できる。
以上、本発明に係る実施例について説明したが、これらに限定されるものではなく、発明の趣旨を逸脱しない範囲内において、種々の変更、追加等が可能である。
【符号の説明】
【００３５】  １  …箸
２Ａ…箸本体（可動箸）
２Ｂ…箸本体（固定箸）
３  …滑り止め
４  …印（箸側）
５  …印（指側）
【図１】
2020137983.tif 000003
【図２】
2020137983.tif 000004
【図３】
2020137983.tif 000005
【図４】
2020137983.tif 000006